(57)【特許請求の範囲】
【請求項１】
複数の色光を色光毎に変調する複数の光変調装置、および前記光変調装置をそれぞれ保持する保持体を有する光学装置本体と、
前記光学装置本体が対向して固定される光入射側端面、および前記光入射側端面と交差する第１端面および第２端面を有し、前記光変調装置にて変調された各色光を合成する色合成光学装置と、
前記第１端面に固定され、前記色合成光学装置を支持する支持部材と、
前記第２端面側に配置され、前記第２端面に最も近接する第１の近接部と、
前記第２端面側に配置され、前記光学装置本体に最も近接する第２の近接部と、
を備え、
前記第１の近接部は、前記第２端面との距離が、前記第２の近接部と前記光学装置本体との距離より小さくなるように配置され、
前記第１の近接部と前記第２端面との間に、間隙が設けられていることを特徴とするプロジェクター。
【請求項２】
請求項１に記載のプロジェクターであって、
前記光学装置本体に空気を導くダクトを備え、
前記ダクトは、前記光学装置本体に向けて空気を排出する排出口を有し、
前記第２の近接部は、前記排出口の縁部の少なくとも一部であることを特徴とするプロジェクター。
【請求項３】
請求項２に記載のプロジェクターであって、
前記第１の近接部は、前記ダクトに形成されていることを特徴とするプロジェクター。
【請求項４】
請求項１〜請求項３のいずれか一項に記載のプロジェクターであって、
前記第１の近接部は、空気の流れを抑制する障壁部を有していることを特徴とするプロジェクター。
【請求項５】
請求項１〜請求項３のいずれか一項に記載のプロジェクターであって、
前記第１の近接部は、前記第２の近接部が最も近接する前記光学装置本体の前記光変調装置に入射する色光に直交する方向に延出する障壁部を有することを特徴とするプロジェクター。
【発明の詳細な説明】
【技術分野】
【０００１】
本発明は、プロジェクターに関する。
【背景技術】
【０００２】
従来、光源装置から射出された光束を画像情報に応じて変調し、変調した光をスクリーン等に投写するプロジェクターが知られている。プロジェクターは、企業内でのプレゼンテーションや、家庭内での映画鑑賞等の種々の用途に用いられており、持ち運びし易いように小型化、軽量化が図られている。しかし、持ち運びできるようになると、誤ってプロジェクターを落下させてしまう恐れがあるため、衝撃による内部の光学部品の位置ずれを抑制するプロジェクターが提案されている（例えば、特許文献１参照）。
【０００３】
特許文献１に記載のプロジェクター（投写型表示装置）は、ファン、表示デバイス、導風ダクトおよび熱伝導性緩衝材を備えている。表示デバイスは、液晶パネルおよび偏光板を備え、光源ランプからの光を変調する。導風ダクトは、ファンからの空気を表示デバイスに導く。熱伝導性緩衝材は、シリコーンゴム素材から形成され、導風ダクトと表示デバイスとの間に密接して配置される。そして、特許文献１に記載のプロジェクターは、落下衝撃を熱伝導性緩衝材によって吸収して表示デバイスが導風ダクトに衝突することを防止すると共に、表示デバイスを効率的に冷却可能になっている。
【先行技術文献】
【特許文献】
【０００４】
【特許文献１】特開２００９−１３３９５２号公報
【発明の概要】
【発明が解決しようとする課題】
【０００５】
しかしながら、特許文献１に記載のプロジェクターは、熱伝導性緩衝材を導風ダクトと表示デバイスとの間に密接して配置するために、各部品寸法や組み立てのバラツキ等を加味して熱伝導性緩衝材に圧縮方向の力が加わるように設定することが必要になる。つまり、表示デバイスには、常時、負荷が加わることとなり、この負荷によって表示デバイスの位置がずれる恐れがある。また、特許文献１に記載のプロジェクターは、熱伝導性緩衝材を用いる構成のため、部品点数の増加、熱伝導性緩衝材を配置するスペースの増加、および熱伝導性緩衝材を配置するための導風ダクトの形状の制約が生じるという課題もある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、複数の色光を色光毎に変調する複数の光変調装置、および前記各光変調装置をそれぞれ保持する保持体を有する光学装置本体と、前記各光学装置本体が対向して固定される光入射側端面、および前記光入射側端面と交差する一対の端面を有し、前記各光変調装置にて変調された色光を合成する色合成光学装置と、前記一対の端面のうちいずれか一方の端面に最も近接する第１の近接部と、前記一方の端面側において、前記光学装置本体に最も近接する第２の近接部と、を備え、前記第１の近接部は、前記一方の端面との距離が、前記第２の近接部と前記光学装置本体との距離より小さくなるように形成されていることを特徴とする。
【０００８】
この構成によれば、第１の近接部は、色合成光学装置との距離が、第２の近接部と光学装置本体との距離より小さくなるように形成されている。これによって、落下等によってプロジェクターに衝撃が加わった際に、光学装置本体と第２の近接部とは、互いに近づくように移動する場合が生じるが、衝突することが回避される。すなわち、光学装置本体と第２の近接部とが衝突する前に、色合成光学装置と第１の近接部とが衝突し、光学装置本体に備えられた光変調装置は、光学装置本体と第２の近接部とが衝突しないので色合成光学装置に対する位置が維持されることとなる。したがって、プロジェクターは、落下等により衝撃が加わった際にも画素ズレが抑制され、画質の良好な投写を行なうことが可能となる。
【０００９】
［適用例２］上記適用例に係るプロジェクターにおいて、前記光学装置本体に空気を導くダクトを備え、前記ダクトは、前記光学装置本体に向けて空気を排出する排出口を有し、前記第２の近接部は、前記排出口の縁部の少なくとも一部であることが好ましい。
【００１０】
この構成によれば、第２の近接部は、光学装置本体に空気を導くように形成されたダクトの排出口の縁部の少なくとも一部であるので、排出口の縁部は、光学装置本体に最も近接するように形成される。よってダクトから効率良く空気を光学装置本体に排出できるので、衝撃が加わった際の画素ズレの抑制と光学装置の冷却効率向上の両立が可能となる。
【００１１】
［適用例３］上記適用例に係るプロジェクターにおいて、前記第１の近接部は、前記ダクトに形成されていることが好ましい。
【００１２】
ダクトは、光学装置本体に空気を導くため、光学装置本体の近傍に配置される。ダクトに、第１の近接部を形成すれば、第１の近接部に対する第２の近接部の位置精度を向上することが可能となる。よってさらに排出口の縁部を光学装置本体に近接させることが可能となり冷却効率の向上が図れる。
【００１３】
［適用例４］上記適用例に係るプロジェクターにおいて、前記第１の近接部は、空気の流れを抑制する障壁部を有していることが好ましい。
【００１４】
この構成によれば、第１の近接部は、空気の流れを抑制する障壁部を有しているので、空気の一部が一方の端面側の空間に向かうことを抑制し、光入射側端面側に流通させることが可能となる。よって、障壁部を形成しない場合に比べ、光入射側端面に固定されている光学装置本体への風量を増加させることが可能となる。したがって、プロジェクターは、耐衝撃性の向上を図りつつ、光学装置本体の効率的な冷却が可能となる。
【００１５】
［適用例５］上記適用例に係るプロジェクターにおいて、前記色合成光学装置で合成された色光を拡大投写する投写光学装置と、前記投写光学装置を支持する支持部材と、を備え、前記色合成光学装置は、前記一対の端面のうち他方の端面が前記支持部材に固定されていることが好ましい。
【００１６】
この構成によれば、一対の端面のうち他方の端面は投写光学装置を支持する支持部材に固定されている。投写光学装置のバックフォーカス位置に光変調装置を正確に配置させるために上記構造としているが、他方の端面に支持部材が固定されるので、一方の端面側は衝撃が加わった際に光学装置本体と第２の近接部とが衝突しやすくなる。しかしながら一方の端面との距離が、第２の近接部と光学装置本体との距離より小さくなるように第１の近接部を形成することで、衝撃が加わった際にも画素ズレが抑制することが可能となり画質の良好な投写を行なうことが可能となる。
【図面の簡単な説明】
【００１７】
【図１】本実施形態のプロジェクターの概略構成を示す模式図。
【図２】本実施形態の電気光学装置近傍の光学ユニットを示す斜視図。
【図３】本実施形態の光学装置本体近傍の光学ユニットの断面図。
【図４】本実施形態のダクトの斜視図。
【図５】本実施形態のクロスダイクロイックプリズム、光学装置本体、およびダクトを上方から見た平面図。
【図６】変形例のクロスダイクロイックプリズム、光学装置本体、およびダクトを上方から見た平面図。
【発明を実施するための形態】
【００１８】
以下、本実施形態に係るプロジェクターについて、図面を参照して説明する。
本実施形態のプロジェクターは、光源から射出された光束を画像情報に応じて変調してスクリーン等に拡大投写する。
図１は、本実施形態のプロジェクターの概略構成を示す模式図である。
図１に示すように、プロジェクター１は、外装を構成する外装筐体２、制御部（図示省略）、光源装置３１を有する光学ユニット３、および吸気ユニット４を備えている。なお、図示は省略するが、外装筐体２の内部には、さらに光源装置３１や制御部に電力を供給する電源装置や、光源装置３１の点灯等によって温まった空気を外部に排出する排気ユニット等が配置されている。
【００１９】
外装筐体２は、詳細な説明は省略するが、上部を構成する上ケース、下部を形成する下ケースを有している。そして、外装筐体２には、外気を取り込むための吸気口、および外装筐体２内部の温まった空気を外部に排気する排気口等が設けられている。
【００２０】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２１】
光学ユニット３は、制御部による制御の下、光源装置３１から射出された光束を光学的に処理して投写する。
光学ユニット３は、図１に示すように、光源装置３１に加え、インテグレーター照明光学系３２、色分離光学系３３、リレー光学系３４、電気光学装置３５、投写光学装置としての投写レンズ３６、電気光学装置３５と投写レンズ３６とを支持する支持部材３７、およびこれらの部材３１〜３７を光路上の所定位置に配置する光学部品用筐体３８を備える。
【００２２】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、インテグレーター照明光学系３２に向けて射出する。
【００２３】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｌに対して略直交する面内にマトリクス状に配列される複数の小レンズを備えている。
【００２４】
第２レンズアレイ３２２は、第１レンズアレイ３２１と略同様の構成を有しており、重畳レンズ３２４とともに、第１レンズアレイ３２１から射出された部分光束を後述する液晶ライトバルブ５２（図２参照）の表面に重畳させる。
偏光変換素子３２３は、第２レンズアレイ３２２から射出されたランダム偏光光を液晶ライトバルブ５２で利用可能な略１種類の偏光光に揃える機能を有する。
【００２５】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００２６】
リレー光学系３４は、入射側レンズ３４１、リレーレンズ３４３、および反射ミラー３４２，３４４を備え、色分離光学系３３で分離されたＲ光をＲ光用の液晶ライトバルブ５２Ｒまで導く機能を有する。なお、光学ユニット３は、リレー光学系３４がＲ光を導く構成としているが、これに限らず、例えば、Ｂ光を導く構成としてもよい。
【００２７】
電気光学装置３５は、各色光毎に設けられた光学装置５（Ｒ光用の光学装置を５Ｒ、Ｇ光用の光学装置を５Ｇ、Ｂ光用の光学装置を５Ｂとする）、および色合成光学装置としてクロスダイクロイックプリズム３５１を備え、色分離光学系３３で分離された各色光を画像情報に応じて変調し、変調した各色光を合成する。
【００２８】
投写レンズ３６は、複数のレンズを組み合わせた組レンズとして構成され、クロスダイクロイックプリズム３５１にて合成され、光射出側端面から射出された光をスクリーン上に拡大投写する。
【００２９】
図２は、電気光学装置３５近傍の光学ユニット３を示す斜視図であり、投写レンズ３６を省略した図である。
各光学装置５は、入射側偏光板５１（図１参照）、図２に示すように、光変調装置としての液晶ライトバルブ５２（Ｒ光用の液晶ライトバルブを５２Ｒ、Ｇ光用の液晶ライトバルブを５２Ｇ、Ｂ光用の液晶ライトバルブを５２Ｂとする）、プリポラライザー５３、および射出側偏光板５４を備えている。なお、以下では、説明の便宜上、光源装置３１から光束が射出される方向を＋Ｘ方向、投写レンズ３６から光束が投写される方向を＋Ｙ方向、Ｘ方向およびＹ方向に直交し、図２の図面視における上を＋Ｚ方向（上方向）として記載する。
【００３０】
入射側偏光板５１は、ガラス板に貼り付けられて光学部品用筐体３８に配置される。入射側偏光板５１は、色分離光学系３３で分離された各色光のうち、偏光変換素子３２３で揃えられた偏光光を透過し、その偏光光と異なる偏光光を吸収して液晶ライトバルブ５２に射出する。
【００３１】
液晶ライトバルブ５２、プリポラライザー５３、および射出側偏光板５４は、後述する部材と共に光学装置本体５０として構成され、各色光毎にクロスダイクロイックプリズム３５１に取り付けられている。なお、Ｒ光用の光学装置本体を５０Ｒ、Ｇ光用の光学装置本体を５０Ｇ、Ｂ光用の光学装置本体を５０Ｂとし、その具体的な構成については、後で詳細に説明する。
【００３２】
液晶ライトバルブ５２は、一対の透明なガラス基板に電気光学物質である液晶が密閉封入された構成を有し、制御部からの駆動信号に応じて、液晶の配向状態が制御され、入射側偏光板５１から射出された色光を画像情報に応じて変調する。
【００３３】
プリポラライザー５３および射出側偏光板５４は、入射側偏光板５１と略同様の機能を有し、液晶ライトバルブ５２の光束射出側に順次配置される。そして、プリポラライザー５３および射出側偏光板５４は、液晶ライトバルブ５２から射出された光束のうち一定方向の偏光光を透過し、その偏光光と異なる偏光光を吸収してクロスダイクロイックプリズム３５１に射出する。このように、プリポラライザー５３および射出側偏光板５４を配置することによって、投写される画像のコントラストを高めると共に、吸収する光束をプリポラライザー５３と射出側偏光板５４とで按分し、それぞれの過熱を抑制するようになっている。
【００３４】
クロスダイクロイックプリズム３５１は、４つの直角プリズムを貼り合わせた平面視略正方形状をなし、各色光用の光学装置本体５０が対向して配置される３つの光入射側端面３５１Ｎ（図５参照）、および１つの光射出側端面を有している。そして、クロスダイクロイックプリズム３５１は、直角プリズム同士を貼り合わせた界面には、２つの誘電体多層膜が形成され、各光入射側端面３５１Ｎから入射する各色光を合成し、光射出側端面から射出する。具体的に、クロスダイクロイックプリズム３５１は、誘電体多層膜が液晶ライトバルブ５２Ｒ，５２Ｂにて変調された色光を反射し、液晶ライトバルブ５２Ｇにて変調された色光を透過して、各色光を合成する。
【００３５】
支持部材３７は、光学装置本体５０が固定されたクロスダイクロイックプリズム３５１、および投写レンズ３６を支持し、光学部品用筐体３８に取り付けられる。
支持部材３７は、図２に示すように、クロスダイクロイックプリズム３５１の上方に位置する光学装置支持部３７１、およびクロスダイクロイックプリズム３５１の＋Ｙ方向に位置するレンズ支持部３７２を有している。
【００３６】
クロスダイクロイックプリズム３５１は、３つの光入射側端面３５１Ｎと交差する一対の端面を備えている。この一対の端面のうち、上側に位置する端面を上端面３５１Ａ、下側に位置する端面を下端面３５１Ｂとする（図３参照）。クロスダイクロイックプリズム３５１は、上端面３５１Ａが接着を介して光学装置支持部３７１に支持される。投写レンズ３６（図１参照）は、ネジによってレンズ支持部３７２の＋Ｙ側に取り付けられる。よって投写レンズ３６、および液晶ライトバルブ５２を含む光学装置本体５０は、一体化されている。そして、投写レンズ３６のバックフォーカス位置に液晶ライトバルブ５２を正確に配置させるためには、投写レンズ３６と液晶ライトバルブ５２を一体化させる構造にして、液晶ライトバルブ５２の位置を調整して固定することが好ましい。
【００３７】
吸気ユニット４は、図１に示すように、ダクト６、投写レンズ３６の＋Ｘ方向に配置される第１の吸気ファン４１、およびダクト６の下方に配置される第２の吸気ファン（図示省略）を備えている。そして、吸気ユニット４は、図示しない防塵フィルターを介して外装筐体２の吸気口から取り込んだ外気を光学装置本体５０に送風し、光学装置本体５０を冷却する。吸気ユニット４については、後で詳細に説明する。
【００３８】
ここで光学装置本体５０の具体的な構成について、光学装置本体５０Ｇに注目して説明する。図３は、光学装置本体５０Ｇ近傍の光学ユニット３の断面図である。
光学装置本体５０Ｇは、図３に示すように、液晶ライトバルブ５２Ｇ、プリポラライザー５３、および射出側偏光板５４に加え、第１の保持体５５および第２の保持体５６を備えている。
【００３９】
第１の保持体５５は、液晶ライトバルブ５２を保持する部材であり、板金で略矩形の枠状に形成されている。第１の保持体５５は、略中央部にクロスダイクロイックプリズム３５１とは反対側の面に凹部が形成され、この凹部には、液晶ライトバルブ５２Ｇにて変調された光を通過させるための開口が形成されている。液晶ライトバルブ５２Ｇは、第１の保持体５５の凹部に配置され、ねじ等により固定される。
また、第１の保持体５５の四隅には、第２の保持体５６の後述する突起部５６１，５６２が挿通される略矩形状の挿通孔５５１が形成されている（図２参照）。
【００４０】
第２の保持体５６は、第１の保持体５５およびプリポラライザー５３を保持する部材であり、板金で略矩形の枠状に形成されている。第２の保持体５６は、第１の保持体５５を介して液晶ライトバルブ５２Ｇを保持することとなる。第２の保持体５６は、略中央部にクロスダイクロイックプリズム３５１とは反対側の面に凸部が形成され、この凸部には、液晶ライトバルブ５２Ｇにて変調された光を通過させるための開口が形成されている。
【００４１】
第２の保持体５６は、図３に示すように、±Ｘの両端がクロスダイクロイックプリズム３５１とは反対側に屈曲されており、この屈曲されている上端部には、第１の保持体５５の上側の２つの挿通孔５５１に挿通される突起部５６１が形成されている（図３においては、−Ｘ側の突起部５６１を示す）。
【００４２】
また、第２の保持体５６には、クロスダイクロイックプリズム３５１とは反対側に屈曲されて、第１の保持体５５の下側の２つの挿通孔５５１に挿通される突起部５６２が形成されている（図３においては、−Ｘ側の突起部５６２を示す）。なお、突起部５６１，５６２および挿通孔５５１は、突起部５６１，５６２が遊嵌状態で挿通孔５５１に挿通されるように設定されている。
【００４３】
射出側偏光板５４は、図３に示すように、クロスダイクロイックプリズム３５１の光入射側端面３５１Ｎに接着固定される。プリポラライザー５３は、第２の保持体５６の凸部に接着固定され、第２の保持体５６は、射出側偏光板５４のクロスダイクロイックプリズム３５１とは反対側の面に接着固定される。
【００４４】
液晶ライトバルブ５２Ｇが固定された第１の保持体５５は、挿通孔５５１に挿通された突起部５６１，５６２が接着されて第２の保持体５６に固定される。なお、突起部５６１，５６２が遊嵌状態で挿通孔５５１に挿通されているので、第１の保持体５５に固定されている液晶ライトバルブ５２Ｇの位置の微調整が可能となり、この微調整が行なわれた後に、第１の保持体５５は、第２の保持体５６に接着固定される。
【００４５】
詳細な説明は省略するが、光学装置本体５０Ｒ，５０Ｂは、光学装置本体５０Ｇと同等に、液晶ライトバルブ５２Ｒ，５２Ｂ、プリポラライザー５３、射出側偏光板５４、第１の保持体５５および第２の保持体５６を備え、クロスダイクロイックプリズム３５１の各光入射側端面３５１Ｎに固定される。
【００４６】
次に、吸気ユニット４について詳細に説明する。
吸気ユニット４は、前述したように、ダクト６、第１の吸気ファン４１および第２の吸気ファンを備えている。これらの吸気ファンは、シロッコファンで構成され、図示しないケーブルを介して制御部に接続されている。そして、これらの吸気ファンは、制御部の指示によって駆動される。
【００４７】
ダクト６は、第１の吸気ファン４１および第２の吸気ファンによって取り込まれた外気を光学装置本体５０および偏光変換素子３２３に導くように形成されている。ダクト６は、図１に示すように、＋Ｘ側が光学部品用筐体３８の＋Ｘ方向に飛び出し、−Ｘ側が光学部品用筐体３８の下方（−Ｚ方向）に位置するように配置される。
【００４８】
図４は、ダクト６の斜視図である。
ダクト６は、外気を取り込むための導入部６１、取り込まれた空気を案内する案内部６２、案内された空気が排出される排出部７、および第１の近接部８を有している。
導入部６１は、図４に示すように、ダクト６の＋Ｙ側を形成しており、箱状部６１１、板状部６１２、および吸入口６１３を有している。
【００４９】
箱状部６１１は、下側に開口部を有して箱状に形成されている。第２の吸気ファンは、外装筐体２の下ケースとこの箱状部６１１との間に配置される。板状部６１２は、箱状部６１１の＋Ｘ側に位置し、Ｙ−Ｚ平面に沿うような板状に形成されている。第１の吸気ファン４１は、この板状部６１２にネジ固定される。吸入口６１３は、板状部６１２の−Ｙ側に形成された直方体状の部位の＋Ｘ側の面に形成されている。吸入口６１３は、箱状部６１１の内側と連通しており、第２の吸気ファンが駆動されることによって、この吸入口６１３から外気が取り込まれる。
【００５０】
案内部６２は、図４に示すように、導入部６１の−Ｙ側に形成された第１流路形成部６２１、および第１流路形成部６２１の−Ｙ側に形成された第２流路形成部６２２を有している。第１流路形成部６２１および第１流路形成部６２１は、下方に開口部を有し、外装筐体２の下ケースとで流路を形成し、導入部６１から取り込まれた空気を案内する。
【００５１】
第１流路形成部６２１は、上方から見てＵ字状に形成されている。第１流路形成部６２１は、−Ｘ側の端部が箱状部６１１に連通し、＋Ｘ側の端部が吸入口６１３の下方に位置するように形成されている。そして、第１流路形成部６２１の＋Ｘ側の端部には、＋Ｙ側の面に開口部（導入口６２１１）が形成されている。第１の吸気ファン４１は、空気を吐出する吐出口の先端部がこの導入口６２１１に覆われて板状部６１２に配置される。
【００５２】
第２流路形成部６２２は、第１流路形成部６２１の＋Ｘ側の途中から分岐し、第１流路形成部６２１の−Ｙ側に沿うように形成されている。
【００５３】
排出部７は、光学装置用排出部９および偏光変換素子用排出部１０を備えている。
図４に示すように、光学装置用排出部９は、第１流路形成部６２１の略中央部に設けられ、偏光変換素子用排出部１０は、第２流路形成部６２２の先端部に設けられている。また、光学装置用排出部９は、図２に示すように、光学装置本体５０の下方に位置するように形成され、偏光変換素子用排出部１０は、図示は省略するが、偏光変換素子３２３の下方に位置するように形成されている。
そして、案内部６２にて案内された空気は、光学装置用排出部９から光学装置本体５０に向けて排出され、偏光変換素子用排出部１０から偏光変換素子３２３に向けて排出される。
【００５４】
ここで、光学装置用排出部９について、詳細に説明する。
図５は、クロスダイクロイックプリズム３５１、光学装置本体５０、およびダクト６を上方から見た平面図である。
光学装置用排出部９は、図４、図５に示すように、各光学装置本体５０にそれぞれ向けて空気が排出される複数の排出口を有している。
具体的に、光学装置本体５０Ｇの下方には、排出口９１Ｇ，９２Ｇが設けられ、光学装置本体５０Ｒの下方には、排出口９１Ｒ，９２Ｒが設けられ、光学装置本体５０Ｂの下方には、排出口９１Ｂ，９２Ｂが設けられている。
【００５５】
排出口９１Ｇは、図５に示すように、液晶ライトバルブ５２Ｇの下方の＋Ｘ側および−Ｘ側に２つ形成されている。排出口９２Ｇは、排出口９１Ｇの＋Ｙ方向のプリポラライザー５３の下方に形成されている。そして、排出口９１Ｇから排出される空気は、液晶ライトバルブ５２Ｇの光入射側に主に吹きつけられ（図３における流路Ｆ１）、排出口９２Ｇから排出される空気は、液晶ライトバルブ５２Ｇの光射出側、プリポラライザー５３および射出側偏光板５４に主に吹きつけられる（図３における流路Ｆ２）。
【００５６】
排出口９１Ｒは、図５に示すように、液晶ライトバルブ５２Ｒの下方に１つ形成され、排出口９２Ｒは、排出口９１Ｒの−Ｘ方向のプリポラライザー５３の下方に形成されている。図示は省略するが、排出口９１Ｒから排出される空気は、液晶ライトバルブ５２Ｒの光入射側に主に吹きつけられ、排出口９２Ｒから排出される空気は、液晶ライトバルブ５２Ｒの光射出側、プリポラライザー５３および射出側偏光板５４に主に吹きつけられる。
【００５７】
同様に、排出口９１Ｂは、図５に示すように、液晶ライトバルブ５２Ｂの下方に１つ形成され、排出口９２Ｂは、プリポラライザー５３の下方に形成されている。そして、排出口９１Ｂから排出される空気は、液晶ライトバルブ５２Ｂの光入射側に主に吹きつけられ、排出口９２Ｂから排出される空気は、液晶ライトバルブ５２Ｂの光射出側、プリポラライザー５３および射出側偏光板５４に主に吹きつけられる。
【００５８】
また、排出口９１Ｇの縁部は、図３に示すように、クロスダイクロイックプリズム３５１の下端面３５１Ｂ側において、光学装置本体５０Ｇに最も近接するように形成されている。具体的に、排出口９１Ｇの縁部は、光学装置本体５０Ｇの第１の保持体５５に対して距離Ｌ２を有して最も近接して形成されている。
【００５９】
図示は省略するが、排出口９２Ｒ，９２Ｂの縁部は、クロスダイクロイックプリズム３５１の下端面３５１Ｂ側において、それぞれ光学装置本体５０Ｒ，５０Ｂに最も近接するように形成されている。排出口９１Ｇ，９２Ｒ，９２Ｂの縁部は、第２の近接部に相当する。
【００６０】
次に、第１の近接部８について説明する。
第１の近接部８は、図４に示すように、排出口９２Ｒ，９２Ｇ，９２Ｂの間に設けられている。第１の近接部８は、Ｙ−Ｚ平面に沿う障壁部８１、およびＸ−Ｚ平面に沿う障壁部８２を有し、障壁部８１と障壁部８２とが交差し、上方から見て十字状に形成されている。第１の近接部８は、図５に示すように、上方から見てこの障壁部８１と障壁部８２とが交差する部位がクロスダイクロイックプリズム３５１の略中央部に位置するように形成されている。
【００６１】
第１の近接部８は、図３に示すように、クロスダイクロイックプリズム３５１の下端面３５１Ｂに最も近接するように形成され、下端面３５１Ｂとの距離Ｌ１が距離Ｌ２より小さくなるように形成されている。また、図示は省略するが、第１の近接部８は、距離Ｌ１が排出口９２Ｒ，９２Ｂの縁部と光学装置本体５０Ｒ，５０Ｂとのそれぞれの距離より小さくなるように形成されている。つまり、第１の近接部８は、下端面３５１Ｂとの距離が、第２の近接部と光学装置本体５０との距離より小さく形成されている。
【００６２】
また、第１の近接部８は、排出口９２Ｒ，９２Ｇ，９２Ｂから排出された空気が下端面３５１Ｂに沿って流れることを抑制する形状を有している。例えば、図３に示すように、排出口９２Ｇから排出された空気は、液晶ライトバルブ５２、プリポラライザー５３、および射出側偏光板５４に向かって排出される（流路Ｆ２）と共に、一部が下端面３５１Ｂ側の空間に向かう（流路Ｆ３）。この下端面３５１Ｂに向かう空気の一部は、障壁部８１，８２によって、−Ｙ方向から＋Ｙ方向に流れることが抑制され、下端面３５１Ｂと交差する光入射側端面３５１Ｎ側に流れることとなる。つまり、第１の近接部８を形成しない場合に比べ、流路Ｆ２に流れる空気の量が増えることとなる。
【００６３】
以上説明したように、本実施形態のプロジェクター１によれば、以下の効果を得ることができる。
（１）落下等によってプロジェクター１に衝撃が加わった際に、支持部材３７が撓んだりすることによって、光学装置本体５０と第２の近接部とは、互いに近づくように移動する場合が生じるが、衝突することが回避される。すなわち、光学装置本体５０と第２の近接部とが衝突する前に、距離が小さいクロスダイクロイックプリズム３５１と第１の近接部８とが衝突し、光学装置本体５０に備えられた液晶ライトバルブ５２は、クロスダイクロイックプリズム３５１に対する位置が維持されることとなる。したがって、プロジェクター１は、落下等により衝撃が加わった際にも画素ズレが抑制され、画質の良好な投写を行なうことが可能となる。
【００６４】
（２）第２の近接部は、排出口９１Ｇ，９２Ｒ，９２Ｂの縁部を形成し、下端面３５１Ｂ側の光学装置本体５０に最も近接するように形成されている。これによって、効率良く空気を光学装置本体５０に排出することが可能になり、画素ズレの抑制と冷却効率向上の両立が可能となる。
【００６５】
（３）第１の近接部８および第２の近接部は、ダクト６に設けられているので、第１の近接部８に対する第２の近接部の位置精度を向上することが可能となる。よってさらに排出口９１Ｇ，９２Ｒ，９２Ｂの縁部を光学装置本体５０に近接させることが可能となり、冷却効率の向上が図れる。
【００６６】
（４）第１の近接部８は、障壁部８１，８２を有し、排出口９２Ｒ，９２Ｇ，９２Ｂから排出された空気が下端面３５１Ｂに沿って流れることを抑制する形状を有している。これによって、排出口９２Ｒ，９２Ｇ，９２Ｂから排出され、下端面３５１Ｂ側に向かう空気の一部を、下端面３５１Ｂと交差する光入射側端面３５１Ｎ側に流通させることが可能となる。よって、障壁部８１，８２を形成しない場合に比べ、光入射側端面３５１Ｎに固定されている光学装置本体５０への風量を増加させることが可能となる。したがって、プロジェクター１は、耐衝撃性の向上を図りつつ、光学装置本体５０の効率的な冷却が可能となる。
【００６７】
（５）クロスダイクロイックプリズム３５１の上端面３５１Ａは、投写レンズ３６を支持する支持部材３７に固定されている。投写レンズ３６のバックフォーカス位置に液晶ライトバルブ５２を正確に配置させるために上記構造としているが、上端面３５１Ａに支持部材３７が固定されるので、下端面３５１Ｂ側は衝撃が加わった際に光学装置本体５０と第２の近接部とが衝突しやすくなってしまう。しかしながら下端面３５１Ｂとの距離が、排出口９１Ｇ，９２Ｒ，９２Ｂの縁部と光学装置本体５０との距離より小さくなるように第１の近接部８が形成されているので、衝撃が加わった際にも画素ズレが抑制することが可能となり画質の良好な投写を行なうことが可能となる。
【００６８】
（変形例）
なお、前記実施形態は、以下のように変更してもよい。
前記実施形態の第１の近接部８は、障壁部８１，８２を有して十字状に形成されているが、この形状に限らず、例えば図６に示すような形状であってもよい。図６は、変形例のクロスダイクロイックプリズム３５１、光学装置本体５０、およびダクト６を上方から見た平面図である。図６に示すように、第１の近接部１８は、３つの光入射側端面３５１Ｎに略平行に形成された障壁部１８１，１８２，１８３を有し、光学装置本体５０Ｇに対向する障壁部１８２の両端がそれぞれ障壁部１８１，１８３に接続された形状を有している。第１の近接部１８がこの形状を有することによって、排出口９２Ｒ，９２Ｇ，９２Ｂから下端面３５１Ｂ側に向かう空気をさらに抑制し、光学装置本体５０への風量をさらに増加させることが可能となる。
【００６９】
前記実施形態の第１の近接部８は、ダクト６に形成されていたが、外装筐体２に形成しても良い。第１の近接部８を外装筐体２に形成することでダクト６の外装筐体２への組み込み時の基準も兼ねることができる。
【００７０】
排出口９１Ｇ，９２Ｒ，９２Ｂの縁部の一部を突出させ、この突出する部位を第２の近接部として構成してもよい。
【００７１】
第１の近接部８，１８を弾性部材で形成し、各部品公差や組立て公差等を加味して、光学装置本体５０に負荷が加わらない範囲で下端面３５１Ｂとの距離をさらに小さく設定するように構成してもよい。
【００７２】
前記実施形態の光学装置本体５０は、プリポラライザー５３を備えているが、プリポラライザー５３を削除した構成であってもよい。また、光学装置本体５０は、プリポラライザー５３に限らず位相差板等の他の光学素子を備える構成としてもよい。
【００７３】
前記実施形態のプロジェクター１は、光変調装置として透過型の液晶ライトバルブ５２を用いているが、反射型液晶ライトバルブを利用したものであってもよい。
【００７４】
光源３１１は放電型のランプに限らず、その他の方式のランプや発光ダイオード等の固体光源で構成してもよい。
【符号の説明】
【００７５】
１…プロジェクター、２…外装筐体、３…光学ユニット、４…吸気ユニット、５…光学装置、６…ダクト、８，１８…第１の近接部、３１…光源装置、３７…支持部材、５０，５０Ｂ，５０Ｇ，５０Ｒ…光学装置本体、５２，５２Ｂ，５２Ｇ，５２Ｒ…液晶ライトバルブ、５５…第１の保持体、５６…第２の保持体、８１，８２，１８１，１８２，１８３…障壁部、９１Ｂ，９１Ｇ，９１Ｒ，９２Ｂ，９２Ｇ，９２Ｒ…排出口、３１１…光源、３５１…クロスダイクロイックプリズム、３５１Ａ…上端面、３５１Ｂ…下端面、３５１Ｎ…光入射側端面。
【図１】
0005617439.tif 000002
【図２】
0005617439.tif 000003
【図３】
0005617439.tif 000004
【図４】
0005617439.tif 000005
【図５】
0005617439.tif 000006
【図６】
0005617439.tif 000007